(57)【要約】【課題】            携帯端末の第１の筐体と第２の筐体を上下方向に重ね合わせた状態で相対的にスライドさせるスライド機構において、簡単な構成で、開成時に第２の筐体を第１の筐体に対して自動的に開くことができるように構成した、携帯端末のスライド機構を提供する。【解決手段】        携帯端末機を構成する第１の筐体と第２の筐体を直線方向へ相対的にスライドさせるスライド機構であって、前記第１の筐体と前記第２の筐体のいずれか一方へ取り付けられるベース部材と、前記第１の筐体と第２の筐体のいずれか他方に取り付けられ、前記ベース部材に対し直線方向へスライド可能に取り付けられるスライド部材と、前記ベース部材に軸支され前記スライド部材と前記ベース部材の間に一方向へ回動附勢されて設けられたスウィングアームと、前記スライド部材の側に設けられ前記スウィングアームの軸支点を越えた側に摺接し、前記スウィングアームの回動を制御することにより、前記スライド部材のスライド動作を制御するリンク機構とで構成する。【選択図】          図９
2006033636.tif 000002
【特許請求の範囲】
【請求項１】
携帯端末機を構成する第１の筐体と第２の筐体を直線方向へ相対的にスライドさせるスライド機構であって、前記第１の筐体と前記第２の筐体のいずれか一方へ取り付けられるベース部材と、前記第１の筐体と第２の筐体のいずれか他方に取り付けられ、前記ベース部材に対し直線方向へスライド可能に取り付けられるスライド部材と、前記ベース部材に軸支され前記スライド部材と前記ベース部材の間に一方向へ回動附勢されて設けられたスウィングアームと、前記スライド部材の側に設けられ前記スウィングアームの軸支点を越えた側に摺接し、前記スウィングアームの回動を制御することにより、前記スライド部材のスライド動作を制御するリンク機構とで構成したことを特徴とする、携帯端末のスライド機構。
【請求項２】
前記携帯端末が携帯電話機であり、前記第１の筐体が送話部で、前記第２の筐体が受話部であることを特徴とする、請求項１に記載の携帯端末のスライド機構。
【請求項３】
前記リンク機構は、一方向へ回動附勢されたスウィングアームの軸支点を越えた側に設けられたカムフロアーと、このカムフロアーと摺接して前記スライド部材の側に設けられたカム部を有することを特徴とする、請求項１乃至３のいずれかに記載の携帯端末のスライド機構。
【請求項４】
前記スウィングアームを一方向へ回動附勢させる手段が、該スウィングアームの回動支点を越えた側と前記ベース部材との間に張設されたコイルスプリングであることを特徴とする、請求項１乃至３のいずれかに記載の携帯端末のスライド機構。
【発明の詳細な説明】
【技術分野】
【０００１】
この発明は、例えば携帯電話機のような携帯端末を構成する第１の筐体と第２の筐体を互いに直線方向へスライド可能に連結する際に用いて好適な携帯端末のスライド機構に関する。
【背景技術】
【０００２】
携帯端末の一種である携帯電話機において、キーボード部やマイク部を設けた送話部としての第１の筐体と、ディスプレイ部やスピーカー部を設けた受話部としての第２の筐体を互いに重ね合わせた状態で、第１の筐体と第２の筐体が完全に重なり合って第２の筐体で第１の筐体の上面を覆う状態と、第２の筐体を第１の筐体に対して長手方向へスライドさせて第１の筐体の上面を露出させる状態を作り出す、スライド機構付きのものが市場に出回っている。このようなスライド機構を記載した公知文献として、下記する特許文献１に記載されたものが公知である。
【０００３】
【特許文献１】特開２００３−１２５０５２号公開特許公報
【発明の開示】
【発明が解決しようとする課題】
【０００４】
この特許文献１に記載されたものは、スライドカバーとロックプレートを重ね合わせて固着したスライドケースと、このスライドケース内に摺動可能に収装したスライダーと、このスライダーと前記スライドケースの間に弾設した板バネから成る２本のスライドモジュールを第２の筐体の下面に並設し、スライダーより２本の取付ピンを突設して、第１の筐体の上面にビスで該取付ピンを固着するという構成のものであった。
【０００５】
このような構成であると、第１の筐体と第２の筐体の相対的開閉操作、即ち、摺動操作は全て手動で行わなくてはならず、操作性の点で難点があった。
【０００６】
この発明の目的は、携帯端末の第１の筐体と第２の筐体を上下方向に重ね合わせた状態で相対的にスライドさせるスライド機構において、簡単な構成で、開成時に第２の筐体を第１の筐体に対して自動的に開くことができるように構成した、携帯端末のスライド機構を提供せんとするにある。
【課題を解決するための手段】
【０００７】
上述した目的を達成するためにこの発明は、携帯端末機を構成する第１の筐体と第２の筐体を直線方向へ相対的にスライドさせるスライド機構であって、前記第１の筐体と前記第２の筐体のいずれか一方へ取り付けられるベース部材と、前記第１の筐体と第２の筐体のいずれか他方に取り付けられ、前記ベース部材に対し直線方向へスライド可能に取り付けられるスライド部材と、前記ベース部材に軸支され前記スライド部材と前記ベース部材の間に一方向へ回動附勢されて設けられたスウィングアームと、前記スライド部材の側に設けられ前記スウィングアームの軸支点を越えた側に摺接し、前記スウィングアームの回動を制御することにより、前記スライド部材のスライド動作を制御するリンク機構とで構成する。
【０００８】
その際にこの発明は、前記携帯端末を携帯電話機とし、前記第１の筐体を送話部とすると共に、前記第２の筐体を受話部とするものである。
【０００９】
この発明はさらに、前記リンク機構を、一方向へ回動附勢されたスウィングアームの軸支点を越えた側に設けられたカムフロアーと、このカムフロアーと摺接して前記スライド部材の側に設けられたカム部を含んで構成するものである。
【００１０】
この発明はさらに、前記スウィングアームを一方向へ回動附勢させる手段を、該スウィングアームの回動支点を越えた側と前記ベース部材との間に張設されたコイルスプリングとするものである。
【発明の効果】
【００１１】
スライダー部材のベース部材に対する所定の摺動位置から開成方向へ摺動附勢されているので、第１の筐体と第２の筐体のロック状態を解くと両者を自動的に摺動させて開くことができるものである。
【発明を実施するための最良の形態】
【００１２】
以下にこの発明の一実施の形態を携帯電話機に実施した場合について説明するが、この発明に係るスライド機構は他にも例えばザウルス（商標）のような携帯情報端末、電卓、ポケットコンピュータ、携帯ゲーム機、灰皿、ケース蓋等に実施することができる。
【実施例１】
【００１３】
図面はこの発明の一実施例を示す。図面によれば、図１乃至図４において、指示記号１で示したものは、例えば携帯電話機の送話部を構成する第１の筐体であり、指示記号２で示したものは、同じく携帯電話機の受話部を構成する第２の筐体である。いずれも想像線で記載してある。尚、図中指示記号１aで示したものはキーボード部であり、指示記号２aで示したものはディスプレイ部である。
【００１４】
図１乃至図８において、指示記号３で示したものは、第１の筐体１の上面に取り付けられるベース部材であり、長手方向の両側端部に断面略コの字形状のガイド溝３ａ，３ａが設けられている。
【００１５】
指示記号４で示したものは、第２の筐体２の下面に取り付けられたスライド部材であり、その両側端部長手方向に形成させたガイド部４ａ，４ａを、ベース部材３のガイド溝３ａ，３ａへ嵌入させることにより、第１の筐体１の直線長手方向にスライド可能である。尚、ガイド溝をスライド部材４の方に設け、ガイド部をベース部材３の方へ設けることも考えられる。さらに、ベース部材３を第２の筐体２側へ取り付け、スライド部材４と第１の筐体１の側へ取り付けることも考えられる。
【００１６】
指示記号５で示したものは、スウィングアームであり、このスウィングアーム５は、ベース部材３とスライド部材４の間に設置され、ベース部材３に対し、取付ピン６で水平方向へ回動可能に軸支されている。このスウィングアーム５の軸支点を越えた一端部と、スライド部材４の端部との間には、引張コイルスプリングから成るコイルスプリング７が張設されており、スウィングアーム５を常に一方向へ回動附勢させている。尚、取付ピン６は、スウィングアーム５と一体に構成しても良い。
【００１７】
尚、コイルスプリングの数は、図示のものは１本であるが、複数本であっても良い。また、このコイルスプリング７は、その他の引張力を発生させる弾性手段や反対方向より圧縮力を発生させる圧縮コイルスプリングに代えても良い。
【００１８】
ベース部材３からは、その面部から切り起こした板バネ片３ｂと、ガイド片３ｃが設けられ、この板バネ片３ｂとガイド片３ｃは、スライド部材４の裏側に設けた第１ガイド溝４ｂと第２ガイド溝４ｃ内に嵌入している。板バネ片３ｂは、第２の筺体２の第１の筺体１に対する全開成位置でのストッパーであり、板バネとなっているのは、ベース部材３へスライド部材４を組込む際、つまり、スライド部材４のガイド部４ａをベース部材３のガイド溝3aへ嵌入させる際は、板バネ片３ｂは第１ストッパー部８ａを乗り越えてこの嵌入を可能とするが、組込んだ後には板バネ片３ｂは第１ストッパー部8ａに当接して両者が外れてしまわないようにするためのものである。さらにガイド片３ｃは、後述するように、第２の筺体の第１の筺体１に対する全閉成位置において同じくストッパーになるものである。
【００１９】
スウィングアーム５の軸支点を越えた端部、即ち、コイルスプリング７を取り付けた側の頭部５ａとは反対側に位置する尾部側にはカムフロワー５ｂが設けられている。カムフロワー５ｂは、スライド部材４の長手方向に設けたカム部９に当接しており、このカム部９にはその始端部と終端部にスウィングアーム５のカムフロワー５ｂが落ち込む始端落込み部９ａと終端落込み部９ｂが設けられている。
【００２０】
次に、作用について説明する。第１の筐体１と第２の筐体２が互いに重なり合った閉成状態にあっては、とくに図１と図９（ａ）に示したように、スウィングアーム５がコイルスプリング７によって一方向、つまり、第２の筐体２が第１の筐体１から離れる開成方向へ牽引されることによって、取付ピン６を支点に反時計方向に回動附勢されている。しかるに、そのカムフロワー５ｂがカム部９の始端落込み部９ａに落ち込んでおり、このカムフロワー５ｂでスライド部材４を係止している。したがって、第２の筐体２は第１の筐体１から離れる方向へ摺動附勢されているが、この状態でロックされており、第１の筐体１と第２の筐体２が互いに重なり合った閉成状態を維持している。
【００２１】
今、第２の筐体２を第１の筐体１に対して押すと（ここのところは、第１の筐体１と第２の筐体に対し引いても良い。また、両操作を同時に行っても良い）、スウィングアーム５のカムフロワー５ｂは、カム部９の始端落込み部９ａを脱出して、スライド部材に対する係止状態を解いて、閉成ロック状態が解除される。すると、スウィングアーム５をスライド部材４に係止するものがなくなるので、スライド部材４はコイルスプリング７の引張力によって一方向へ引張られることにより、自動的にベース部材３に対し摺動し、第２の筐体を第１の筐体１に対し開く方向へスライドさせる。このことにより、第２の筐体２は第１の筐体１に対して、図２と図９（ｂ）に示したように自動的に開かれることになる。
【００２２】
第２の筐体が第１の筐体に対し、必要な位置までスライドすると、図３と図７及び図９（ｃ）に示したように、板バネ片３ｂがスライド部材４の第１ストッパー部８ａに当接することにより停止させられ、同時にスウィングアーム５のカムフロワー５ｂが、カム部９の終端落込み部９ａに落ち込むことによって、第２の筐体２は第１の筺体１に対しこの開成位置でロックされる。
【００２３】
このようにして、第１の筐体の上面に設けたキーボード部１ａが露出するので、通話及びキーボード操作が可能となる。
【００２４】
この状態から第２の筐体２を元の方向へ引くか、或は第１の筐体１を第２の筐体２に対して押すか、或は両操作を同時に行うことによって、スウィングアーム５のカムフロワー５ｂは終端落込み部９ｂを脱出して開成ロック状態を解除される。すると、カムフロワー５ｂはカム部９の平坦部９ｃに当接し、やや時計方向へ回動しつつ摺動可能となり、スライド部材４は、コイルスプリング７の牽引力に抗してこれを引き伸ばしつつ摺動可能となるので、第２の筐体２は第１の筐体１に対しスライドして閉じられる。そして、図１と図７及び図９（ａ）に示した閉成位置において、ガイド片３ｃがスライド部材４の第２ストッパー部８ｂに当接すると共に、スウィングアーム５のカムフロワー５ｂがカム部９の始端落込み部９ａに落ち込み、スウィングアーム５が図１に想像線で示した位置から、実線で示した位置にやや反転してカムフロワー５ｂでスライド部材４を係止することにより、この第２の筐体２は第１の筺体１に対し閉成位置でロックされる。
【００２５】
以上のようにして、第２の筐体２は第１の筐体１に対し、閉成位置でロックされ、このロック状態を解くと自動的にスライドして所定位置まで開かれ、所定の開成位置で再びロックされるものである。
【産業上の利用可能性】
【００２６】
以上説明したようにこの発明は、携帯端末中、とくに携帯電話機の送話部を構成する第１の筐体と、受話部を構成する第２の筐体を互いにスライド可能に連結し、閉成状態から自動的に直線方向へスライドして開くようにするスライド機構として用いることができる。
【図面の簡単な説明】
【００２７】
【図１】この発明に係る携帯端末のスライド機構の閉成状態を示す平面図である。
【図２】この発明に係る携帯端末のスライド機構の開成動作を説明する平面図である。
【図３】この発明に係る携帯端末のスライド機構の開成停止状態を説明する平面図である。
【図４】図１のＡ−Ａ線拡大断面図である。
【図５】ベース部材の平面図である。
【図６】図５のＢ−Ｂ線拡大断面図である。
【図７】スライド部材の底面図である。
【図８】図７のＣ−Ｃ線断面図である。
【図９】この発明に係る携帯端末のスライド機構の動作を説明する説明図である。
【符号の説明】
【００２８】
１  第１の筐体
２  第２の筐体
３  ベース部材
３ａ  ガイド溝
３ｂ  板バネ片
３ｃ  ガイド片
４  スライド部材
４ａ  ガイド部
４ｂ  第１ガイド溝
４ｃ  第２ガイド溝
５  スウィングアーム
５ａ  頭部
５ｂ  カムフロワー
６  取付ピン
７  コイルスプリング
８ａ  第１ストッパー部
８ｂ  第２ストッパー部
９  カム部
９ａ  始端落込み部
９ｂ  終端落込み部
９ｃ  平坦部
【図１】
2006033636.tif 000003
【図２】
2006033636.tif 000004
【図３】
2006033636.tif 000005
【図４】
2006033636.tif 000006
【図５】
2006033636.tif 000007
【図６】
2006033636.tif 000008
【図７】
2006033636.tif 000009
【図８】
2006033636.tif 000010
【図９】
2006033636.tif 000011